(57)【要約】【課題】配信された動画に多くのユーザーが注目した部分があった場合の情報の把握が容易に得れらるようにした動画関連情報検索システムを提供すること。【解決手段】システム管理側機器となるシステム管理部１０と、これに複数ユーザー間共有ネットワーク１１を介して結ばれている複数のユーザー側機器１−ａ、１−ｂ、……、１−ｘを備えた動画関連情報検索システムにおいて、各ユーザー側機器１−ａ〜では、動画像の一部からユーザーがアイテムを選択したとき、当該アイテムに関連するデータをアイテム関連情報として取得し、これらを対にして各ユーザーデータベース８−ａ、８−ｂ、……、８−ｘに蓄積すると共に、システム管理部１０の全ユーザー分データベース１１にも蓄積するようにしたもの。【選択図】図１
2007310498.tif 000002
【特許請求の範囲】
【請求項１】
動画像の一部からユーザーが対象物を選択する手段と、当該選択された対象物のデータを格納する蓄積手段とが備えられている動画関連情報検索システムにおいて、
前記対象物が選択されたとき、当該対象物に関連するデータをアイテム関連情報として取得する手段を設け、
前記アイテム関連情報を前記選択された対象物のデータと対にして前記蓄積手段に格納することを特徴とする動画関連情報検索システム。
【請求項２】
請求項１に記載の動画関連情報検索システムにおいて、
前記アイテム関連情報には、少なくとも映像種別、ユーザー情報、時刻、回数の何れかが含まれていることを特徴とする動画関連情報検索システム。
【請求項３】
請求項１に記載の動画関連情報検索システムにおいて、
当該システムは、システム管理側機器と、これに複数ユーザー間共有ネットワークを介して結ばれている複数のユーザー側機器とで構成され、
前記蓄積手段は、前記システム管理側機器と前記ユーザー側機器の双方に置かれ、管理されることを特徴とする動画関連情報検索システム。
【発明の詳細な説明】
【技術分野】
【０００１】
本発明は、商品、人物、施設などユーザーが対象とするアイテムに関する情報を、ディスプレイ装置に表示された動画像、例えばテレビジョンの映像から当該ユーザーが指定し、指定した情報をユーザーが取得して活用するシステムに関する。
【背景技術】
【０００２】
近年、画像を媒体とした種々の情報システムが広く実用化されているが、その一種に、ディスプレイ装置に表示された動画上の任意の範囲に関する情報をユーザーが取得するようにしたシステムが従来技術として知られている(例えば、特許文献１参照。)。
【０００３】
ここで、この従来技術は、イントラネットＶＯＤ(ビデオオンデマンド)を対象として、ビデオ情報に関連した情報を検索するのに適した動画関連情報検索システムの一種で、このシステムでは、照会データベースを備え、この照会データベースに、予め動画からの切り出しが行われ得る部分についての情報、つまり切出情報と、その部分に対応した動画関連情報の検索先に関する情報を対にして格納している。
【０００４】
そして、動画上のある位置がマウスなどにより指定されると、まず、その指定位置が含まれている部分を画面から切り出し、それに切出情報を添付し、当該部分についての動画関連情報を要求する。次に、これを照会データベースに格納されている切出情報と照合し、照会データベースから切出情報に対応した当該動画関連情報の検索先情報を取り出す。そして、最後に、取り出された検索先情報に基づいて、その検索先から動画関連情報を取得するものである。
【特許文献１】特開２０００−９０１０７号公報
【発明の開示】
【発明が解決しようとする課題】
【０００５】
上記従来技術は、ユーザーが指定した動画上のアイテム(対象物)の情報や指定頻度といった情報が蓄積されずに破棄されてしまう点に配慮がされておらず、配信された動画に、仮に多くのユーザーが注目する部分が存在したとしても、その部分について把握することは、動画配信側(番組制作側)もユーザーも共にできないという問題があった。
【０００６】
そのため、従来技術では、多くのユーザーが注目したとしても、情報としては伝わらず、従って、例えばヒット(大当り)する力を潜在的に持っている商品や芸能人が現れたとしても、そのままヒットせずに終わってしまう可能性がある。また、ヒットした場合を考えてみても、従来技術では、それは、いわゆる口コミ等により広がるだけなので、局地的なものに留まってしまい、全国的に広がるまでに長い時間が費やされてしまう場合がほとんどであった。
【０００７】
本発明の目的は、配信された動画に多くのユーザーが注目した部分があった場合の情報の把握が容易に得られるようにした動画関連情報検索システムを提供することにある。
【課題を解決するための手段】
【０００８】
上記目的は、動画像の一部からユーザーが対象物を選択する手段と、当該選択された対象物のデータを格納する蓄積手段とが備えられている動画関連情報検索システムにおいて、前記対象物が選択されたとき、当該対象物に関連するデータをアイテム関連情報として取得する手段を設け、前記アイテム関連情報を前記選択された対象物のデータと対にして前記蓄積手段に格納することにより達成される。
【０００９】
このとき、前記アイテム関連情報には、少なくとも映像種別、ユーザー情報、時刻、回数の何れかが含まれているようにしても上記目的が達成され、更に、当該システムが、システム管理側機器と、これに複数ユーザー間共有ネットワークを介して結ばれている複数のユーザー側機器とで構成され、前記蓄積手段は、前記システム管理側機器と前記ユーザー側機器の双方に置かれ、管理されるようにしても上記目的が達成される。
【発明の効果】
【００１０】
本発明によれば、ユーザーが映像中の任意の部位をアイテムとして選択した際に、当該選択された部位の切出とデータの取得及び蓄積は当然のこととして、これに加え、選択時のユーザーの情報やアイテム関連データ(該アイテムに関連した他のデータ)も取得し蓄積することができる。
【００１１】
従って、本発明によれば、これら取得し蓄積されるアイテム関連データには、アイテム選択時の時刻やデータの取得回数、それに性別、年齢等、ユーザーに関するデータが含まれているので、これらのデータに基づくことにより、ユーザーに一切負担をかけずに、アイテムとユーザーの関連性を知ることができる。
【００１２】
また、本発明によれば、上記データをローカルユーザー側とシステム管理側の間の共有ネットワークに置くことができるので、複数のユーザーからのデータに基いた市場動向とニーズの把握ができ、この結果、ユーザー間相互の情報提供を迅速に行えるようになるので、多くのユーザーが注目した部分があった場合の情報の把握にとても有効である。
【発明を実施するための最良の形態】
【００１３】
以下、本発明に係る動画関連情報検索システムについて、図示の実施の形態により詳細に説明する。ここで、図１は、本発明の一実施形態のシステム構成を示したもので、この実施形態では、システム管理側機器としてシステム管理部１０を備え、これが複数のユーザーＡ〜Ｘによるアイテム検索に関するデータをまとめ、そのまとめたデータをシステム管理側で活用できるようにしたもので、このため、複数のユーザーＡ〜Ｘの各々には夫々ユーザー側機器１−ａ、１−ｂ、……、１−ｘが与えられ、各々は、複数ユーザー間共有ネットワーク１１を介してシステム管理部１０と結ばれている。
【００１４】
これらユーザー側機器１−ａ、１−ｂ、……、１−ｘの詳細を示したのが図２で、ここでは、複数のユーザー側機器１−ａ、１−ｂ、……、１−ｘを代表してユーザー側機器１により示してあり、これには表示装置２と入力装置３、それにユーザー端末４が設けられている。このとき、入力装置３はマウスやタッチペンなどである。
【００１５】
そして、ユーザー端末４には、動画配信側となる映像信号源２０から画像信号が入力されるようになっているが、この映像信号源２０は、例えば放送局、ＤＶＤプレーヤー等の映像再生機器、ハードディスク等の記憶装置であり、この映像信号源２０から送られてきた映像信号がデータ処理部５を介して表示装置２に供給されるようになっている。
【００１６】
従って、映像信号源２０から映像信号が供給されると、ユーザーは表示装置２に画像を再生させ、画像の視聴が可能な状態にすることができるようになり、これが通常の映像視聴に相当することになる。このとき映像信号源２０が放送局の場合、これはユーザー側には存在しない。そこで、この図２では、映像信号源２０がユーザー側機器１の輪郭線をまたいだ形で図示されているのである。
【００１７】
一方、システム管理部１０側の全ユーザー分データベース１２には各ユーザーが検索したアイテム情報及びユーザー情報が格納されている。そして、市場動向解析アプリケーション１６は、全ユーザー分データベース１２に蓄積されたデータを基にして、市場動向に役立つデータの抽出と作成を行い、解析結果１７を出力する。
【００１８】
そこで、この解析結果１７から、システムの管理者による市場動向の把握が可能になる。例えば、同一アイテムに対する検索回数や頻度を求めることにより、そのアイテムの人気、注目度等がわかり、検索時の映像種別からはユーザーが注目している箇所がわかる。さらに、これらの情報とユーザーの年齢や性別等の情報から、世代別の人気や傾向等などの把握も可能になる。
【００１９】
このときユーザー側機器１で画像を視聴中のユーザーは、興味を持った人物、商品、施設などのアイテムが画像内にあったら、そのアイテムを指示装置２により指示する。そうすると、解析・抽出アプリケーション６が働き、動画データから指定時の映像の抽出と、ユーザー指示部の解析・抽出を行い、ユーザーが情報取得を求めているアイテムを導出する。
【００２０】
この導出されたアイテムは、解析・抽出アプリケーション６からユーザーＤＢ検索部７及び外部ＤＢ検索部９に渡され、これらにより得られた検索結果はデータ処理部５に渡される。そこでデータ処理部５は、それを映像信号と共に表示装置２に送り、画像として表示させる。そこでユーザーは、映像視聴中に興味を持ったアイテムがあったとき、直ちにその情報を取得することができる。
【００２１】
また、このときユーザーデータベース８には、過去にユーザーが検索したアイテムに関する情報が、ユーザーＤＢ検索部７及び外部ＤＢ検索部９から渡されて蓄積され、管理されている。そこで、ユーザーＤＢ検索部７は、このユーザーデータベース８内のデータに対しても検索を行い、結果を解析・抽出アプリケーション６に返す。これにより、過去にユーザーが検索した物と同一のアイテムであれば、短時間で検索結果を得ることが可能になる。
【００２２】
また、このユーザーデータベース８には、解析・抽出アプリケーション６の働きにより、動画から検索したアイテムそのものの情報だけではなく、検索した時刻、映像種別等の検索時の情報や、当該アイテムに対する検索回数、他ユーザーの検索動向等の累積情報も格納されるようになっている。ここで映像種別とは、映画、ドラマ、ＣＭ、タレント、スポーツ中継等、当該アイテムが検索された際の映像内容のことである。
【００２３】
このとき、複数ユーザー間共有ネットワーク１１は、本システムを使用するユーザーに共有のネットワークであり、ユーザーデータベース８のデータ及びユーザー情報１５は、この複数ユーザー間共有ネットワーク１１を介してシステム管理者側のデータベースである全ユーザー分データベース１２に提供される。また、外部ＤＢ検索部９は、インターネット網１３を介して他ウェブサーバ１４及び全ユーザー分データベース１２内のデータに対して検索を行い、結果を解析・抽出アプリケーション６に返す。
【００２４】
ここで、上記したように、全ユーザー分データベース１２には、他のユーザーの検索結果が格納されている。従って、同一のアイテムがあれば、他ウェブサーバ１４での検索結果を得る場合よりも短時間で結果を得ることが可能になる。また、このときの外部ＤＢ検索部９での検索結果はユーザーデータベース８に格納される。
【００２５】
上記したように、システム管理部１０の全ユーザー分データベース１２には各ユーザーが検索したアイテム情報及びユーザー情報が格納され、市場動向解析アプリケーション１６は、全ユーザー分データベース１２に蓄積されたデータを基にして、市場動向に役立つデータの抽出と作成を行い、解析結果１７として出力する。そこで、この解析結果１７から、システムの管理者による市場動向の把握が可能になることは上記した通りである。
【００２６】
ここで、この実施形態による市場動向の把握とは、例えば、同一アイテムに対する検索回数や頻度を求めることにより、そのアイテムの人気や注目度などが把握されるということであり、このとき検索時の映像種別からは、ユーザーが注目している箇所が判り、更に、これらの情報とユーザーの年齢や性別等の情報からは、世代別の人気や傾向等などの把握も可能になる。
【００２７】
このことについて、更に具体的に例を挙げて説明する。ここで、いま、あるスポーツ飲料Ｘに対する検索回数が常に多かったとする。そうすると、この実施形態によれば、まず、その検索回数の多さから、この飲料Ｘが注目され人気が出ていることが判る。次に、その飲料Ｘがクリックされたとき(検索されとき)の映像の種別から、各映像によるユーザーへの影響力の大きさを、映像種別毎に知ることができる。
【００２８】
このときの映像種別は、例えば飲料Ｘ自体のコマーシャル映像(ＴＶＣＭ)や人気タレントがドラマ中で飲料Ｘを飲んでいたシーンの映像、サッカー中継においてハーフタイム中に選手が飲料Ｘを飲んでいたシーンの映像、或いは旅行番組の中でたまたま飲料Ｘの自動販売機が写っている映像などとなるが、この場合、上記実施形態によれば、飲料Ｘに対する検索回数をこれら映像種別毎に比較することにより、システム管理側で各映像の種別毎にユーザーへの影響力の大きさを知ることができることになる。
【００２９】
例えば、ある人気タレントＡが飲んでいるシーンの方が、あるＴＶＣＭのときよりも検索回数が多かった場合、このＴＶＣＭはユーザーにそれほど大きなインパクトを与えるものでは無い、若しくは人気タレントＡの方が当該ＴＶＣＭよりもユーザーに与えるインパクトが大きい、といったことが判り、同様に、アイテムがタレントＢの場合、それの検索回数から、そのタレントＢの人気の度合いを知ることができ、映像種別からタレントＢに注目が最も集まった番組やシーンの種別が把握されることになる。
【００３０】
また、これらの情報に加え、検索を実行したユーザーについて、年齢、性別による分類を行えば、例えば２０代の女性に人気のあるバッグは何かとか、２０代の男性に注目されているタレントは誰かなど、ユーザーターゲットを絞った調査も、この実施形態によれば可能になる。
【００３１】
従って、以上の実施形態によれば、配信された映像の中に多くのユーザーが注目した部分があった場合の情報の把握に際して、ユーザー自らが興味を持った人物、商品、施設などのアイテムを調べるというユーザー自身のための行動を実行するだけで済むことになり、よって、ユーザーのニーズなど市場動向の情報収集を、当該ユーザーに負担をかけること無く、容易に実行することができる。
【００３２】
ここで、このような情報収集に際して、従来技術の場合、アンケートをとるなどの負担をユーザーにかけなければならなかったが、この実施形態によれば、ユーザーに別途負担を与えることがない。従って、この実施形態によれば、情報収集にユーザーの要求や興味が反映されやすくなり、口コミなどで評判が伝わるまでに多くの時間を要した従来技術の場合とは異なり、即座に、且つ確実に、ユーザーが注目しているアイテムについての情報収集を得ることができる。
【図面の簡単な説明】
【００３３】
【図１】本発明による動画関連情報検索システムの一実施形態を示すブロック構成図である。
【図２】本発明の一実施形態におけるユーザー側機器の詳細を示したブロック構成図である。
【符号の説明】
【００３４】
１：ユーザー側機器
２：表示装置
３：入力装置
４：ユーザー端末
５：データ処理部
６：解析・抽出アプリケーション
７：ユーザーデータベース検索部
８：ユーザーデータベース
９：外部データベース検索部
１０：システム管理部(システム管理側機器)
１１：複数ユーザー間共有ネットワーク
１２：全ユーザー分データベース
１３：インターネット網
１４：他ウェブサーバ
１５：ユーザー情報
１６：市場動向解析アプリケーション
１７：解析結果(市場動向)
２０：映像信号源
【図１】
2007310498.tif 000003
【図２】
2007310498.tif 000004